【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
内部を貫通する少なくとも１つのアプリケータ開口部を有する移植片アプリケータと、
内部を貫通する少なくとも１つの支持体開口部を有する移植片支持体とを備え、
前記移植片アプリケータおよび移植片支持体が互いに対して配置されて、角膜移植片を収容するように構成された移植片入れ子を形成し、
前記少なくともアプリケータ開口部および少なくとも１つの支持体開口部が、前記角膜移植片と前記少なくとも１つのアプリケータ開口部内に配置された液体との間の力が前記角膜移植片と前記少なくとも１つの支持体開口部内に配置された液体との間の力よりも大きくなるように構成され、力が大きいほど、前記支持体よりも前記角膜移植片に対する高い親和性を前記アプリケータに与える、角膜移植片アプリケータ装置。
【請求項２】
前記少なくとも１つのアプリケータ開口部が、角膜表面よりも前記角膜移植片に対する低い親和性を前記アプリケータに与えるように構成される、請求項１に記載の装置。
【請求項３】
アプリケータ開口部の数が支持体開口部の数よりも大きい、請求項１に記載の装置。
【請求項４】
前記移植片入れ子内に位置決めされたときに前記角膜移植片に重なるアプリケータ開口部の数が、前記角膜移植片に重なる支持体開口部の数よりも大きい、請求項３に記載の装置。
【請求項５】
前記少なくとも１つのアプリケータ開口部のサイズが、前記少なくとも１つの支持体開口部のサイズよりも小さい、請求項１に記載の装置。
【請求項６】
前記移植片アプリケータが、前記少なくとも１つのアプリケータ開口部が貫通する平坦な第１の表面を有する、請求項１に記載の装置。
【請求項７】
前記移植片支持体が、前記少なくとも１つの支持体開口部が貫通する平坦な第１の表面を有する、請求項１に記載の装置。
【請求項８】
前記少なくとも１つのアプリケータ開口部の面積の合計に対する前記少なくとも１つのアプリケータ開口部の周長の合計の比が、前記少なくとも１つの支持体開口部の面積の合計に対する前記少なくとも１つの支持体開口部の周長の合計の比よりも大きく、比が大きいほど、支持体よりも角膜移植片に対する高い親和性を前記アプリケータに与える、請求項１に記載の装置。
【請求項９】
前記少なくとも１つのアプリケータ開口部および前記少なくとも１つの支持体開口部が、六角形の構成を有する、請求項１に記載の装置。
【請求項１０】
前記移植片アプリケータが、内部を貫通する複数のアプリケータ開口部を有し、前記移植片支持体が、内部を貫通する複数の支持体開口部を有し、前記複数のアプリケータ開口部が前記複数の支持体開口部よりも小さい、請求項１に記載の装置。
【請求項１１】
前記移植片アプリケータが、内部を貫通する複数のアプリケータ開口部を有し、前記移植片支持体が、内部を貫通する複数の支持体開口部を有し、前記角膜移植片が入れ子内に配置されたときに角膜移植片に重なる前記複数のアプリケータ開口部の数が、前記角膜移植片に重なる前記複数の支持体開口部の数よりも大きい、請求項１に記載の装置。
【請求項１２】
角膜移植片が親水性材料から作製される、請求項１に記載の装置。
【請求項１３】
前記移植片アプリケータが、内部を貫通する複数の開口部を有し、前記移植片支持体が、内部を貫通する複数の開口部を有し、前記複数のアプリケータ開口部の配置により、前記支持体よりも前記角膜移植片に対する高い親和性を前記アプリケータに与える、請求項１に記載の装置。
【手続補正２】
【補正対象書類名】明細書
【補正対象項目名】０１３８
【補正方法】変更
【補正の内容】
【０１３８】
[000188]本明細書の実施形態は、中位本体および極小本体の両方を説明している。しかしながら、一部の実施形態では、装置またはその使用方法が、極小本体を備える必要がない。極小本体がないと、角膜移植片は、中位および極小本体によって画定された角膜入れ子内に位置決めされない。したがって、移植片を中位本体内に包装する必要がない。たとえば、移植片を別個の包装で包装することができる。これらの実施形態では、中位本体が、前述したように、移植片に対する優先的な付着を利用して、角膜移植片をその包装から回収し、または持ち上げることができる。これにより、角膜移植片をどのように包装する必要があるかについての制限をなくすことができる。たとえば、移植片を、バイアル内で保管媒体に浮遊させて保管することができる。移植片を角膜組織上に位置決めする準備ができると、ハンドルに連結可能な中位本体が、角膜移植片を開口に隣接した位置へすくい上げること等によって、保管媒体内で移植片に隣接して位置決めされる。その優先的な付着適応により、角膜移植片は中位本体に優先的に付着する。移植片は、中位本体に付着すると、中位本体の適応に依拠して移植片が中位本体ではなく角膜組織に優先的に付着できるようにすることにより、前述したように角膜上に置かれる準備ができる。
以下に本明細書が開示する形態のいくつかを記載しておく。
［形態１］
内部を貫通する１つまたは複数のアプリケータ開口部を有する移植片アプリケータと、
内部を貫通する１つまたは複数の支持体開口部を有する移植片支持体とを備え、
前記移植片アプリケータおよび移植片支持体が互いに対して配置されて移植片入れ子を形成し、前記移植片入れ子が角膜移植片を収容するように構成され、
前記１つまたは複数のアプリケータ開口部の面積の合計に対する前記１つまたは複数のアプリケータ開口部の周長の合計の比が、前記１つまたは複数の支持体開口部の面積の合計に対する前記１つまたは複数の支持体開口部の周長の合計の比よりも大きく、比が大きいほど、支持体よりも角膜移植片に対する高い親和性をアプリケータに与える、角膜移植片アプリケータ装置。
［形態２］
前記移植片アプリケータが、角膜組織が前記移植片アプリケータよりも前記角膜移植片に対する高い親和性を有するように構成される、形態１に記載の装置。
［形態３］
前記移植片アプリケータが、内部を貫通する複数のアプリケータ開口部を有する、形態１に記載の装置。
［形態４］
前記複数のアプリケータ開口部が、前記複数のアプリケータ開口部にわたる同一の最大直線寸法を有する、形態３に記載の装置。
［形態５］
前記移植片支持体が、内部を貫通する複数の支持体開口部を有する、形態１に記載の装置。
［形態６］
前記複数の支持体開口部が、前記支持体開口部にわたる同一の第２の最大直線寸法を有する、形態５に記載の装置。
［形態７］
前記移植片アプリケータが、内部を貫通する複数のアプリケータ開口部を有し、前記移植片支持体が、内部を貫通する複数の支持体開口部を有する、形態１に記載の装置。
［形態８］
前記複数のアプリケータ開口部が、前記複数のアプリケータ開口部にわたる同一の最大直線寸法を有し、前記複数の支持体開口部が、前記支持体開口部にわたる同一の第２の最大直線寸法を有する、形態７に記載の装置。
［形態９］
前記角膜移植片が前記入れ子内に配置されたときに前記角膜移植片に重なる前記複数のアプリケータ開口部の数が、前記角膜移植片に重なる前記複数の支持体開口部の数よりも大きい、形態７に記載の装置。
［形態１０］
流体が前記角膜移植片入れ子内に保持され、表面張力によって前記角膜移植片に重なるある数の前記複数のアプリケータ開口部内に前記流体が配置され、表面張力によって前記角膜移植片に重なるある数の前記複数の支持体開口部内に前記流体が配置され、前記角膜移植片に重なる前記アプリケータ開口部内に配置された流体の体積が、前記角膜移植片に重なる前記支持体開口部内に配置された流体の体積よりも大きい、形態７に記載の装置。
［形態１１］
前記角膜移植片に重なる前記支持体開口部の少なくとも１つが、前記開口部全体にわたって延びる流体を有していない、形態１０に記載の装置。
［形態１２］
前記角膜移植片アプリケータが、前記角膜移植片アプリケータにわたる第１の最大直線寸法を有し、前記移植片支持体が、前記移植片支持体にわたる第２の最大直線寸法を有し、前記第２の最大直線寸法が前記第１の最大直線寸法よりも大きい、形態１に記載の装置。
［形態１３］
前記移植片支持体の外縁が、前記移植片アプリケータの外縁よりもさらに半径方向に延びる、形態１に記載の装置。
［形態１４］
前記移植片支持体が、前記入れ子の一部を形成する平坦な移植片支持体表面を有する、形態１に記載の装置。
［形態１５］
前記移植片支持体の内部に、前記角膜移植片を収容するように構成された凹部が形成される、形態１４に記載の装置。
［形態１６］
前記移植片アプリケータが、前記入れ子の一部を形成する平面を有する、形態１に記載の装置。
［形態１７］
前記移植片アプリケータが第１の最大厚さを有し、前記移植片支持体が第２の最大厚さを有し、前記第２の厚さが前記第１の厚さよりも大きい、形態１に記載の装置。
［形態１８］
前記第２の厚さが前記第１の厚さの約２倍である、形態１７に記載の装置。
［形態１９］
前記１つまたは複数のアプリケータ開口部が六角形の構成を有する、形態１に記載の装置。
［形態２０］
前記１つまたは複数の支持体開口部が六角形の構成を有する、形態１に記載の装置。
［形態２１］
前記角膜移植片が親水性材料から作製される、形態１に記載の装置。
［形態２２］
内部を貫通する複数のアプリケータ開口部を有する移植片アプリケータと、
内部を貫通する複数の支持体開口部を有する移植片支持体とを備え、
前記複数のアプリケータ開口部の数が前記複数の支持体開口部の数よりも大きく、
前記移植片アプリケータおよび移植片支持体が互いに対して配置されて角膜移植片入れ子を形成し、角膜移植片が前記複数のアプリケータ開口部および前記複数の支持体開口部に隣接して配置されるように、前記角膜移植片入れ子が前記角膜移植片を収容するように構成される、角膜移植片アプリケータ装置。
［形態２３］
前記アプリケータ開口部の数が大きいほど、前記支持体よりも前記角膜移植片に対する高い親和性をアプリケータに与える、形態２２に記載の装置。
［形態２４］
角膜組織が前記アプリケータよりも前記角膜移植片に対する高い親和性を有するように、前記アプリケータが構成される、形態２２に記載の装置。
［形態２５］
前記入れ子内に位置決めされたときに前記角膜移植片に重なる前記複数のアプリケータ開口部の数が、前記移植片が前記入れ子内に位置決めされたときに前記角膜移植片に重なる前記複数の支持体開口部の数よりも大きい、形態２２に記載の装置。
［形態２６］
前記複数のアプリケータ開口部が六角形の構成を有する、形態２２に記載の装置。
［形態２７］
前記複数の支持体開口部が六角形の構成を有する、形態２２に記載の装置。
［形態２８］
前記角膜移植片が親水性材料から作製される、形態２２に記載の装置。
［形態２９］
六角形の構成を持つ、内部を貫通する複数のアプリケータ開口部を有する角膜移植片アプリケータと、
六角形の構成を持つ、内部を貫通する複数の支持体開口部を有する角膜移植片支持体とを備え、
前記角膜移植片支持体が前記角膜移植片アプリケータに対して配置されて、間に角膜移植片入れ子を形成する、角膜移植片アプリケータ装置。
［形態３０］
前記支持体よりも前記角膜移植片に対する高い親和性を前記アプリケータに与えるように、前記複数のアプリケータ開口部がサイズ決めされる、形態２９に記載の装置。
［形態３１］
角膜組織が前記アプリケータよりも前記角膜移植片に対する高い親和性を有するように、前記アプリケータ開口部がサイズ決めされる、形態２９に記載の装置。
［形態３２］
前記複数のアプリケータ開口部および前記複数の支持体開口部に隣接する前記入れ子内に配置された角膜移植片をさらに備える、形態２９に記載の装置。
［形態３３］
前記複数の六角形のアプリケータ開口部の対向する辺の間の直線寸法が、前記複数の六角形の支持体開口部の対向する辺の間の直線寸法よりも小さい、形態２９に記載の装置。
［形態３４］
前記角膜移植片が親水性材料から作製される、形態２９に記載の装置。
［形態３５］
内部を貫通する少なくとも１つのアプリケータ開口部を有する移植片アプリケータと、
内部を貫通する少なくとも１つの支持体開口部を有する移植片支持体とを備え、
前記移植片アプリケータおよび移植片支持体が互いに対して配置されて、角膜移植片を収容するように構成された移植片入れ子を形成し、
前記少なくともアプリケータ開口部および少なくとも１つの支持体開口部が、前記角膜移植片と前記少なくとも１つのアプリケータ開口部内に配置された液体との間の力が前記角膜移植片と前記少なくとも１つの支持体開口部内に配置された液体との間の力よりも大きくなるように構成され、力が大きいほど、前記支持体よりも前記角膜移植片に対する高い親和性を前記アプリケータに与える、角膜移植片アプリケータ装置。
［形態３６］
前記少なくとも１つのアプリケータ開口部が、角膜表面よりも前記角膜移植片に対する低い親和性を前記アプリケータに与えるように構成される、形態３５に記載の装置。
［形態３７］
アプリケータ開口部の数が支持体開口部の数よりも大きい、形態３５に記載の装置。
［形態３８］
前記移植片入れ子内に位置決めされたときに前記角膜移植片に重なるアプリケータ開口部の数が、前記角膜移植片に重なる支持体開口部の数よりも大きい、形態３７に記載の装置。
［形態３９］
前記少なくとも１つのアプリケータ開口部のサイズが、前記少なくとも１つの支持体開口部のサイズよりも小さい、形態３５に記載の装置。
［形態４０］
前記移植片アプリケータが、前記少なくとも１つのアプリケータ開口部が貫通する平坦な第１の表面を有する、形態３５に記載の装置。
［形態４１］
前記移植片支持体が、前記少なくとも１つの支持体開口部が貫通する平坦な第１の表面を有する、形態３５に記載の装置。
［形態４２］
前記少なくとも１つのアプリケータ開口部の面積の合計に対する前記少なくとも１つのアプリケータ開口部の周長の合計の比が、前記少なくとも１つの支持体開口部の面積の合計に対する前記少なくとも１つの支持体開口部の周長の合計の比よりも大きく、比が大きいほど、支持体よりも角膜移植片に対する高い親和性を前記アプリケータに与える、形態３５に記載の装置。
［形態４３］
前記少なくとも１つのアプリケータ開口部および前記少なくとも１つの支持体開口部が、六角形の構成を有する、形態３５に記載の装置。
［形態４４］
前記移植片アプリケータが、内部を貫通する複数のアプリケータ開口部を有し、前記移植片支持体が、内部を貫通する複数の支持体開口部を有し、前記複数のアプリケータ開口部が前記複数の支持体開口部よりも小さい、形態３５に記載の装置。
［形態４５］
前記移植片アプリケータが、内部を貫通する複数のアプリケータ開口部を有し、前記移植片支持体が、内部を貫通する複数の支持体開口部を有し、前記角膜移植片が入れ子内に配置されたときに角膜移植片に重なる前記複数のアプリケータ開口部の数が、前記角膜移植片に重なる前記複数の支持体開口部の数よりも大きい、形態３５に記載の装置。
［形態４６］
角膜移植片が親水性材料から作製される、形態３５に記載の装置。
［形態４７］
内部を貫通する複数のアプリケータ開口部を有する移植片アプリケータと、
内部を貫通する複数の支持体開口部を有する移植片支持体とを備え、
前記移植片アプリケータおよび移植片支持体が互いに対して配置されて、角膜移植片を収容するように構成された移植片入れ子を形成し、
前記複数のアプリケータ開口部の配置により、前記支持体よりも前記角膜移植片に対する高い親和性を前記アプリケータに与える、角膜移植片アプリケータ装置。
［形態４８］
前記複数のアプリケータ開口部の配置により、角膜表面よりも前記角膜移植片に対する低い親和性を前記アプリケータに与える、形態４７に記載の装置。
［形態４９］
アプリケータ開口部の数が、支持体開口部の数よりも大きい、形態４７に記載の装置。
［形態５０］
前記移植片入れ子内に位置決めされたときに前記角膜移植片に重なるアプリケータ開口部の数が、前記角膜移植片に重なる支持体開口部の数よりも大きい、形態４９に記載の装置。
［形態５１］
前記複数のアプリケータ開口部のサイズが前記複数の支持体開口部のサイズよりも小さい、形態４７に記載の装置。
［形態５２］
前記移植片アプリケータが、前記複数のアプリケータ開口部が貫通する平坦な第１の表面を有する、形態４７に記載の装置。
［形態５３］
前記移植片支持体が、前記複数の支持体開口部が貫通する平坦な第１の表面を有する、形態４７に記載の装置。
［形態５４］
前記複数のアプリケータ開口部の面積の合計に対する前記複数のアプリケータ開口部の周長の合計の比が、前記複数の支持体開口部の面積の合計に対する前記複数の支持体開口部の周長の合計の比よりも大きく、比が大きいほど、支持体よりも角膜移植片に対する高い親和性を前記アプリケータに与える、形態４７に記載の装置。
［形態５５］
前記複数のアプリケータ開口部および前記複数の支持体開口部が、六角形の構成を有する、形態４７に記載の装置。
［形態５６］
前記複数のアプリケータ開口部が前記複数の支持体開口部よりも小さい、形態４７に記載の装置。
［形態５７］
前記角膜移植片が前記入れ子内に配置されるときに前記角膜移植片に重なる前記複数のアプリケータ開口部の数が、前記角膜移植片に重なる前記複数の支持体開口部の数よりも大きい、形態４７に記載の装置。
［形態５８］
前記角膜移植片が親水性材料から作製される、形態４７に記載の装置。
［形態５９］
角膜移植片送達装置を内部で受けて安定させるように構成されたポケットを形成する本体を備える、角膜移植片水和制御装置。
［形態６０］
前記本体が、第１の水和制御要素と、前記第１の水和制御要素に対して配置されて前記ポケットを形成する第２の水和制御要素とを備える、形態５９に記載の装置。
［形態６１］
前記第１および第２の水和制御要素が、巻き上げられた材料の部分を含む、形態６０に記載の装置。
［形態６２］
前記第１および第２の水和制御要素が、材料の一体部分から巻き上げられた材料の部分を含む、形態６０に記載の装置。
［形態６３］
材料の前記一体部分の一部が、逆転防止装置を形成する、形態６２に記載の装置。
［形態６４］
前記第１および第２の水和制御要素が、概して円筒形である、形態６０に記載の装置。
［形態６５］
前記第１および第２の水和制御要素が互いに係合する、形態６０に記載の装置。
［形態６６］
前記本体に固定された第１の変形可能な基部をさらに備え、前記第１の変形可能な基部が、変形して第１の水和制御要素および第２の水和制御要素の間の距離を調節するように構成され、前記第１および第２の水和制御要素が前記ポケットの少なくとも一部を形成する、形態５９に記載の装置。
［形態６７］
前記第１の水和制御要素内に配置された第１のコアと、前記第２の水和要素内に配置された第２のコアとをさらに備え、前記第１の変形可能な基部が前記第１および第２のコアに固定されて、前記基部を前記第１および第２の水和制御要素に固定する、形態６６に記載の装置。
［形態６８］
前記第１および第２のコアに次ぐ第２の変形可能な基部をさらに備える、形態６７に記載の装置。
［形態６９］
前記第１の変形可能な基部が、前記第１および第２のコアのそれぞれの第１の端部に固定され、前記第２の変形可能な基部が、前記第１および第２のコアのそれぞれの第２の端部に固定される、形態６８に記載の装置。
［形態７０］
前記第１の変形可能な基部が、前記変形可能な基部が変形して前記第１および第２の水和制御要素の間の前記距離を調節可能にするリビングヒンジを備える、形態６６に記載の装置。
［形態７１］
前記ポケットが、第１および第２の水和制御要素によって形成された、全体的に楔形を有する、形態５９に記載の装置。
［形態７２］
前記本体がポリエステル材料から形成される、形態５９に記載の装置。
［形態７３］
装置が前記ポケットから取り出されるときに、前記ポケット内に配置された前記装置から流体を逃がすように、前記本体が構成される、形態５９に記載の装置。
［形態７４］
角膜移植片が保持される移植片部分を備えた角膜移植片アプリケータ装置と、
前記移植片部分を内部で受けて安定させるように構成されたポケットを備えた水和制御部材とを備えた、角膜移植片アプリケータのための包装アセンブリ。
［形態７５］
前記角膜移植片が保持される前記移植片部分がほぼ平坦である、形態７４に記載のアセンブリ。
［形態７６］
前記角膜移植片が、ほぼ無応力構成で前記角膜移植片アプリケータ装置の前記移植片部分に保持される、形態７４に記載のアセンブリ。
［形態７８］
前記水和制御部材が、第１の水和制御要素と第２の水和制御要素とを備え、前記第１および第２の水和制御要素が前記ポケットの少なくとも一部を形成する、形態７４に記載のアセンブリ。
［形態７９］
前記第１および第２の水和制御要素が、概して円筒形である、形態７８に記載のアセンブリ。
［形態８０］
前記水和制御部材が、前記角膜移植片アプリケータ装置が前記ポケット内で遠くへ前進しすぎるのを防止するように構成された逆転防止装置をさらに備える、形態７８に記載のアセンブリ。
［形態８１］
前記第１および第２の水和制御要素が、互いから離れて前記角膜移植片アプリケータ装置を収容するように構成される、形態７８に記載のアセンブリ。
［形態８２］
角膜移植片が装置の部分内に配置される、角膜移植片アプリケータ装置を準備するステップと、
前記移植片が配置された前記装置の部分を水和制御部材に対して移動させながら、前記装置の部分を前記水和制御部材に係合させることにより、過剰な流体を前記装置の部分からはぎ取るステップとを含む、角膜移植片アプリケータ装置から過剰な保管液体を除去する方法。
［形態８３］
前記装置の部分が、少なくとも１つの開口部がそれぞれ形成された、角膜入れ子を形成する第１および第２の表面を有し、前記はぎ取りステップが、前記第１および第２の表面から過剰な流体を除去するステップを含む、形態８２に記載の方法。
［形態８４］
前記はぎ取りステップが、前記装置の部分を前記第１および第２の水和制御要素に対して移動させながら、前記装置の部分を第１および第２の水和制御要素に係合させるステップを含む、形態８２に記載の方法。
［形態８５］
角膜移植片が位置決めされる第１の部分を角膜移植片アプリケータ装置に設けるステップと、
前記第１の部分が水和制御部材に係合するまで、前記水和制御部材により形成されたポケット内に前記装置の前記第１の部分を位置決めするステップとを含む、角膜移植片アプリケータ装置を保管する方法。
［形態８６］
前記位置決めステップが、前記水和制御部材と前記角膜移植片との間に流体連通を生じさせる、形態８５に記載の方法。
［形態８７］
前記位置決めステップが、前記第１の部分が２つの水和制御要素に係合するまで、前記２つの水和制御要素により形成されたポケット内へ前記第１の部分を前進させるステップを含む、形態８５に記載の方法。
［形態８８］
前記位置決めステップが、第１の装置表面を第１の水和制御要素に係合させて位置決めするステップと、第２の装置表面を第２の水和制御要素に係合させて位置決めするステップとを含む、形態８７に記載の方法。